(57)【特許請求の範囲】
【請求項１】
竿受部を有する腕杆と、該腕杆を支持する支持体とから成り、腕杆を斜め下向きを含めて複数の角度に設定することができる物干装置において、支持体は、後面側が建物の壁面や支柱等に取り付けられ、前面が開口する筐体の内部に掛止部を設けると共に、筐体の両側板間に第一ピンと第二ピンを設けて成り、腕杆の基端部には、後方に突出して掛止部と掛合する掛合部を設けると共に、第一ピンが挿入され移動可能な規制孔と第二ピンが挿入され移動可能な案内孔を穿設し、掛止部と掛合部の少なくともいずれか一方を複数設けて掛合部が掛止部に選択的に掛合して、腕杆を複数の角度に設定し得るように構成すると共に、案内孔には、第二ピンに係合する複数の受止部を設けて成り、第二ピンが案内孔内を移動して受止部に係脱する時に、第一ピンが規制孔内を移動できるように構成し、腕杆には、規制孔又はその近傍に、第一ピンに当接することができるねじりコイルばねである付勢ばねを設け、掛合部と掛止部との掛合及び受止部と第二ピンとの係合が外れて腕杆が回動可能な状態において、付勢ばねのアームが第一ピンを直接押圧して、掛合部が掛止部に掛合すると共に、案内孔の受止部が第二ピンに係合する方向に腕杆を付勢するようにして成ることを特徴とする物干装置。
【発明の詳細な説明】
【技術分野】
【０００１】
本発明は、建物の壁面や支柱等に２つを一組として取り付け、物干竿を掛け渡して使用するもので、特に、窓上や窓脇上方の外壁に取り付けるのに適した物干装置に関するものである。
【背景技術】
【０００２】
上述の物干装置は、高い場所に取り付けられるので、洗濯物を干しやすいように腕杆が斜め下向きの角度に設定できることが必要であるが、このような物干装置として従来より、実公平８−１７５８号考案が提案されており、この考案は、竿受部を有する腕杆と、該腕杆を支持する支持体とから成る物干装置において、支持体は、前面が開口する筐体の内部に３つの掛止部を設けると共に、筐体の両側板間に第一ピンと第二ピンを設けて成り、腕杆の基端部には、後方に突出して掛止部と掛合する掛合部を設けると共に、第一ピンが挿入され移動可能な規制孔と第二ピンが挿入され移動可能な案内孔を穿設し、案内孔には、第二ピンに係合する３つの受止部を設けて成り、第二ピンが案内孔内を移動して受止部に係脱する時に、第一ピンが規制孔内を移動できるように構成した物干装置である。
【０００３】
また、実開平１−１２８７９０号考案が提案されており、この考案は、挿孔を有するアームと、該アームを支持するブラケットとから成る物干し竿掛け具において、アームの後部を、ブラケットに装入し且つアームをブラケットに埋設した左右袖金の枢軸で軸支し、枢軸とアーム横孔内にスプリングを装付してアームの後端周面に形成した凹溝を袖金の横軸に圧接掛止して成る物干し竿掛け具である。
【先行技術文献】
【特許文献】
【０００４】
【特許文献１】実公平８−１７５８号公報
【特許文献２】実開平１−１２８７９０号のマイクロフィルム
【発明の概要】
【発明が解決しようとする課題】
【０００５】
上記前者の従来例においては、腕杆の使用する角度を変更操作するには、腕杆を回動して第二ピンをいずれかの受止部に係合させる必要があり、特に設定角度を多段階にして受止部間の間隔が小さくなった場合には、所望の角度に設定するのは難しい操作であり、また使用中に洗濯物が風を受けたりすると腕杆が外れやすく危険であるという問題がある。
【０００６】
また、後者の従来例においては、単純に枢軸と横軸で力を受ける構造で、アームの後端周面に形成した凹溝をスプリングの力で横軸との掛止方向に付勢して、アームの角度を保持しているので、使用中に干してある洗濯物等を介してアームがブラケットと反対方向（先端方向）に引っ張られた場合、凹溝と横軸との掛止が外れる方向に力がかかる構造となっている。従って、アームを斜め下向きに設定できるようにすると、スプリングの弾性力が弱いと、使用中にアームが外れてしまうという問題があり、スプリングの弾性力を強くすると、角度の変更操作に大きな力が必要になり操作性が悪化するという構造上の問題がある。そのため、この従来例においては、実際アームを斜め下向きに設定できるようになっておらず、窓上や窓脇上方の外壁に取り付けるのに適した物干装置とはいえないものであり、本発明の物干装置とは用途が相違するものである。
【０００７】
本発明の課題は、腕杆を斜め下向きを含めて複数の角度に設定することができる物干装置において、腕杆の使用する設定角度を多段階にすることができ、なおかつ、腕杆を使用する設定角度の変更操作が簡単であると共に、使用時には腕杆が容易に外れることがない物干装置を提供することである。
【課題を解決するための手段】
【０００８】
上記課題を解決するために本発明においては、竿受部を有する腕杆と、該腕杆を支持する支持体とから成り、腕杆を斜め下向きを含めて複数の角度に設定することができる物干装置において、支持体は、後面側が建物の壁面や支柱等に取り付けられ、前面が開口する筐体の内部に掛止部を設けると共に、筐体の両側板間に第一ピンと第二ピンを設けて成り、腕杆の基端部には、後方に突出して掛止部と掛合する掛合部を設けると共に、第一ピンが挿入され移動可能な規制孔と第二ピンが挿入され移動可能な案内孔を穿設し、掛止部と掛合部の少なくともいずれか一方を複数設けて掛合部が掛止部に選択的に掛合して、腕杆を複数の角度に設定し得るように構成すると共に、案内孔には、第二ピンに係合する複数の受止部を設けて成り、第二ピンが案内孔内を移動して受止部に係脱する時に、第一ピンが規制孔内を移動できるように構成し、腕杆には、規制孔又はその近傍に、第一ピンに当接することができるねじりコイルばねである付勢ばねを設け、掛合部と掛止部との掛合及び受止部と第二ピンとの係合が外れて腕杆が回動可能な状態において、付勢ばねのアームが第一ピンを直接押圧して、掛合部が掛止部に掛合すると共に、案内孔の受止部が第二ピンに係合する方向に腕杆を付勢するようにして成るものである。
【発明の効果】
【０００９】
以上のように本発明においては、規制孔又はその近傍に、第一ピンに当接することができる付勢ばねを設け、掛合部と掛止部との掛合及び受止部と第二ピンとの係合が外れて腕杆が回動可能な状態において、付勢ばねが第一ピンを押圧して、掛合部が掛止部に掛合すると共に、案内孔の受止部が第二ピンに係合する方向に腕杆を付勢するようにして成るので、腕杆を操作して、掛合部を掛止部から外すと共に、案内孔の受止部を第二ピンから外して、回動し設定したい角度の近くで持っている力を緩めると、付勢ばねが、第一ピンを押圧する反力で付勢ばねが取り付けられている腕杆を基端部側へ付勢するので、案内孔の受止部のいずれかに第二ピンが係合すると共に、腕杆の掛合部のいずれかが支持体の掛止部に掛止した使用状態となり、腕杆の使用する設定角度を斜め下向きの角度を含めて多段階にして受止部間の間隔が小さくなったとしても、腕杆の使用する設定角度を変更する操作が簡単であると共に、使用時には腕杆が容易に外れることがなく安全性が向上するという効果がある。
【００１０】
また、腕杆の使用する角度を斜め下向きの角度を含めて多段階に設定できるようにすることにより、使用する人の身長や年代によって使いやすい高さに対応することができるという効果や、施工場所によって取り付けられる高さが制限されたとしても、使用する人に使いやすい高さに腕杆を設定することができるという効果がある。
【図面の簡単な説明】
【００１１】
【図１】実施例１の全体側面図である。
【図２】実施例１の腕杆が水平の使用状態の要部断面図である。
【図３】実施例１の腕杆が斜め上向きの使用状態の要部断面図である。
【図４】実施例１の腕杆が斜め下向きの使用状態（小角度）の要部断面図である。
【図５】実施例１の腕杆が斜め下向きの使用状態（大角度）の要部断面図である。
【図６】実施例１の腕杆が垂直下向きの収納状態の要部断面図である。
【図７】実施例１の腕杆が回動可能な状態の要部断面図である。
【図８】実施例１の全体の分解斜視図である。
【図９】実施例１の支持体の断面図である。
【図１０】実施例１の腕杆の基端部の断面図である。
【実施例１】
【００１２】
図１〜図１０に基づいて実施例１を説明する。
支持体１は、一対の側板４・４を間隔をおいて対向するように設けた筐体３の後部の上下両端に取付片５・５を設けて成り、筐体３の前面及び上下面の一部は開口している。筐体３の内部後方には、中央やや下部に掛止部６が設けられ、その先端に下向きの外止突起３３を設けている。側板４・４には、第一ピン７及び第二ピン８が挿通軸止される２つの軸孔（符号なし）が斜め位置に穿設されている。
【００１３】
腕杆２は、略細長方形で５つの楕円形状の竿受部９・・・９が設けられており、基端部には、掛止部６と選択的に掛合する掛合部１０〜１３を、後方に突出するように設けると共に、基端寄りの第一ピン７が挿通されてその動きを規制される規制孔１４及び先端寄りの第二ピン８が挿通されて案内される案内孔１７を穿設してある。また、掛合部１０〜１３の先端には、それぞれ上向きの外止突起３４〜３７を設けてあり、支持体１の掛止部６に設けた外止突起３３と係合するようになっている。
【００１４】
規制孔１４は、略Ｌ字状の貫通する孔で、上部辺の先端を規制使用部１５とすると共に、下部辺の先端を規制収納部１６としてあり、案内孔１７は、全体が略円弧状の貫通する孔で、先端側の略半分の部分に亘って、規制使用部１５を中心として一定角度の間隔に配置される４つの受止部１８〜２１を略円弧状の経路の外側に突出するように設けると共に、最も基端部に近い受止部１８の側から略円弧状の経路の終端部に案内収納部２２を形成してある。
【００１５】
腕杆２の基端部には、規制孔１４の近傍に、後述するように、ねじりコイルばねである付勢ばね２５の巻き部分２８と一方のアーム２９が収納されて取り付けられる取付凹部２３を設けると共に、他方のアーム３０が回動可能な扇形状の回動凹部２７を設け、さらに間隔をおいた２箇所に、腕杆２の厚み方向に突出するガタ止め具２６・２６が取り付けられる円形の貫通孔２４・２４を設けてある。
【００１６】
ねじりコイルばねである付勢ばね２５は、腕杆２基端部の一面に取り付けられ、巻き部分２８の一方に短いアーム２９、他方に長いアーム３０を突出して成り、アーム２９の先端は直角に曲げられている。ガタ止め具２６は、腕杆２基端部の両面に取り付けられ、略菱形状の本体部３１の裏面両端部に略円筒状の取付脚部３２・３２を突設して成るものであり、腕杆２が支持体１に対してがたつきを少なくすると共に、スムーズに回動するためのものである。
【００１７】
組み立て方を説明する。
まず腕杆２の一面側に、ねじりコイルばねである付勢ばね２５を、その巻き部分２８及び一方のアーム２９を取付凹部２３に収納すると共に、他方のアーム３０を回動凹部２７の先端側の段部に当接させて弾性力をチャージした状態で保持させて取り付けてあり、アーム３０は、回動凹部２７の範囲内で回動することができるようになる。
【００１８】
次に、腕杆２の両面に、ガタ止め具２６・２６を、その取付脚部３２・・・３２をそれぞれ貫通孔２４・２４に表裏両面から圧入して取り付ける。付勢ばね２５側に取り付けられるガタ止め具２６は、本体部３１が付勢ばね２５を取付凹部２３から外れないように押さえる作用も果たしている。
【００１９】
そして、この腕杆２を水平に支持体１の筐体３に前面の開口から、一対の側板４・４の間に挿入し、第一ピン７及び第二ピン８を一方の側板４の２つの軸孔（符号なし）から挿通しそれぞれ規制孔１４の規制使用部１５及び受止部２０を貫通させて、他方の側板４の２つの軸孔（符号なし）にそれぞれ螺合して取り付ける。
【００２０】
操作方法を説明する。
図２に示すように、規制使用部１５が第一ピン７に当接すると共に、案内孔１７の受止部２０に第二ピン８が係合し、腕杆２の掛合部１１が支持体１の掛止部６に掛止した状態、すなわち腕杆２が水平の使用状態から角度を変更するには、腕杆２をやや持ち上げながら付勢ばね２５の力に抗して前方へ移動させて（図７参照）、掛合部１１を掛止部６から外すと共に、案内孔１７の受止部２０を第二ピン８から外すと、腕杆２は上下いずれにも回動可能な状態となる。
【００２１】
そして、この状態から腕杆２を上方又は下方に回動し設定したい角度で持っている力を緩めると、付勢ばね２５が、第一ピン７を押圧する反力で付勢ばね２５が取り付けられている腕杆２を基端部側へ付勢しているので、案内孔１７の受止部１８〜２１のいずれかに第二ピン８が係合すると共に、腕杆２の掛合部１０〜１３いずれかが支持体１の掛止部６に掛止した使用状態となる。
【００２２】
いずれの使用状態においても、掛合部１０〜１３に設けた外止突起３４〜３７が支持体１の掛止部６に設けた外止突起３３と係合しているので、腕杆２に支持体１から離れる方向に力がかかっても、掛合部１０〜１３と掛止部６の掛止が容易に外れることがない。
【００２３】
前述のように腕杆２を回動可能な状態として、第二ピン８が最も基端部に近い受止部１８を越えるまで下方へ回動させると、規制孔１４の規制収納部１６が第一ピン７に当接すると共に、案内孔１７の終端である案内収納部２２が第一ピン８に当接し、垂直下向きの収納状態になる（図６参照）。
【符号の説明】
【００２４】
１  支持体
２  腕杆
３  筐体
６  掛止部
７  第一ピン
８  第二ピン
９  竿受部
１０  掛合部
１１  掛合部
１２  掛合部
１３  掛合部
１４  規制孔
１７  案内孔
１８  受止部
１９  受止部
２０  受止部
２１  受止部
２５  付勢ばね
【図１】
0005781793.tif 000002
【図２】
0005781793.tif 000003
【図３】
0005781793.tif 000004
【図４】
0005781793.tif 000005
【図５】
0005781793.tif 000006
【図６】
0005781793.tif 000007
【図７】
0005781793.tif 000008
【図８】
0005781793.tif 000009
【図９】
0005781793.tif 000010
【図１０】
0005781793.tif 000011